(57)【要約】      （修正有）【課題】踏面となる厚さ方向一方面側の角部に緩衝部材を設けた構成としながらも、緩衝部材を目立ち難くし得、かつ表面化粧シートの破損を抑制し得る踏板を提供する。【解決手段】踏板本体１０の厚さ方向一方面１１と奥行方向一端面１３との角部に厚さ方向一方側及び奥行方向一方側に向けて開口するように設けられた凹所１４に緩衝部材２０が設けられた踏板１であって、緩衝部材は、踏板本体の奥行方向一端面を全体に亘って覆うように配される覆片部２４を有した軟質樹脂部２１と、凹所の踏板奥行方向一方側に向く側面部１６と本体部の踏板奥行方向他方側との間に位置するようにかつ本体部に固定的に設けられ軟質樹脂部よりも硬質の硬質樹脂部２６と、を備えており、前記硬質樹脂部、本体部及び覆片部の表面２２ａ，２２ｂ，２４ａ，２６ａを一連状に覆い、かつ前記踏板本体の厚さ方向一方面を覆うように表面化粧シート３０が貼着されている。【選択図】図１
2018016938.tif 000002
【特許請求の範囲】
【請求項１】
踏板本体の厚さ方向一方面と奥行方向一端面との角部に厚さ方向一方側及び奥行方向一方側に向けて開口するように設けられた凹所に緩衝部材が設けられた踏板であって、
前記緩衝部材は、当該踏板における前記角部を構成するように配される本体部から踏板厚さ方向他方側に一連状に延出し、前記踏板本体の奥行方向一端面を全体に亘って覆うように配される覆片部を有した軟質樹脂部と、前記凹所の踏板奥行方向一方側に向く側面部と前記本体部の踏板奥行方向他方側との間に位置するようにかつ該本体部に固定的に設けられ前記軟質樹脂部よりも硬質の硬質樹脂部と、を備えており、
前記硬質樹脂部、前記本体部及び前記覆片部の表面を一連状に覆い、かつ前記踏板本体の厚さ方向一方面を覆うように表面化粧シートが貼着されていることを特徴とする踏板。
【請求項２】
請求項１において、
前記硬質樹脂部には、前記凹所の踏板厚さ方向一方側に向く底面部と前記本体部との間に位置するように配される底片部と、この底片部の踏板奥行方向一方側端部から踏板厚さ方向他方側に一連状に延出し、止具によって前記踏板本体に固定される固定片部と、が設けられており、
前記覆片部は、前記固定片部の止具止着箇所を露出可能なように、該固定片部の踏板奥行方向一方側面に対して接離可能に該固定片部の踏板奥行方向一方側を覆うように配される構成とされていることを特徴とする踏板。
【発明の詳細な説明】
【技術分野】
【０００１】
本発明は、階段の踏面を構成する踏板に関する。
【背景技術】
【０００２】
従来より、階段の段板として配され、踏面を構成する踏板が知られている。このような踏板としては、昇る際における手前側となる上面側角部への接触時の衝撃を緩和するために、該角部に緩衝材を設けた構成とされたものが知られている。このような緩衝材を、踏板本体に設けた凹所に露出するように設けた構成とすれば、緩衝材が目立ち易くなるという問題があった。
例えば、下記特許文献１には、踏板本体の段鼻に、緩衝ブロックを埋設し、この緩衝ブロックを含めた踏板本体の踏面及び蹴込面を樹脂含浸化粧板で被覆した踏板が開示されている。
【先行技術文献】
【特許文献】
【０００３】
【特許文献１】実開平１−８６６２８号公報
【発明の概要】
【発明が解決しようとする課題】
【０００４】
しかしながら、上記特許文献１に記載された踏板では、段鼻に荷重が掛けられた際に、踏板本体に比して緩衝ブロックが大きく変形するため、踏板本体と緩衝ブロックとの境界部に形成される段差によって樹脂含浸化粧板が破損し易くなることが考えられる。
【０００５】
本発明は、上記実情に鑑みてなされたものであり、踏面となる厚さ方向一方面側の角部に緩衝部材を設けた構成としながらも、緩衝部材を目立ち難くし得、かつ表面化粧シートの破損を抑制し得る踏板を提供することを目的としている。
【課題を解決するための手段】
【０００６】
上記目的を達成するために、本発明に係る踏板は、踏板本体の厚さ方向一方面と奥行方向一端面との角部に厚さ方向一方側及び奥行方向一方側に向けて開口するように設けられた凹所に緩衝部材が設けられた踏板であって、前記緩衝部材は、当該踏板における前記角部を構成するように配される本体部から踏板厚さ方向他方側に一連状に延出し、前記踏板本体の奥行方向一端面を全体に亘って覆うように配される覆片部を有した軟質樹脂部と、前記凹所の踏板奥行方向一方側に向く側面部と前記本体部の踏板奥行方向他方側との間に位置するようにかつ該本体部に固定的に設けられ前記軟質樹脂部よりも硬質の硬質樹脂部と、を備えており、前記硬質樹脂部、前記本体部及び前記覆片部の表面を一連状に覆い、かつ前記踏板本体の厚さ方向一方面を覆うように表面化粧シートが貼着されていることを特徴とする。
【発明の効果】
【０００７】
本発明に係る踏板は、上述のような構成としたことで、踏面となる厚さ方向一方面側の角部に緩衝部材を設けた構成としながらも、緩衝部材を目立ち難くすることができ、また、表面化粧シートの破損を抑制することができる。
【図面の簡単な説明】
【０００８】
【図１】（ａ）、（ｂ）は、本発明の一実施形態に係る踏板の一例を模式的に示し、（ａ）は、一部破断概略縦断面図、（ｂ）は、一部破断概略分解縦断面図である。
【図２】（ａ）、（ｂ）は、同踏板の一部を省略した一部破断概略分解縦断面図である。
【図３】（ａ）、（ｂ）は、本発明の他の実施形態に係る踏板の一例を模式的に示し、（ａ）は、一部破断概略縦断面図、（ｂ）は、一部を省略した一部破断概略分解縦断面図である。
【発明を実施するための形態】
【０００９】
以下に本発明の実施の形態について、図面に基づいて説明する。
なお、一部の図では、他図に付している詳細な符号の一部を省略している。
また、以下の各実施形態では、設置された踏板に対して階下側から対面した状態を基準として、手前側を前方、その逆側を後方とし、この前後方向を踏板の奥行方向とし、また、その状態を基準として上下方向等の方向を説明する。
【００１０】
図１及び図２は、第１実施形態に係る踏板の一例を模式的に示す図である。
本実施形態に係る踏板１は、踏板本体１０の厚さ方向一方面（上面）１１と奥行方向一端面（前端面）１３との角部に厚さ方向一方側（上方側）及び奥行方向一方側（前方側）に向けて開口するように設けられた凹所１４に緩衝部材２０が設けられた構成とされている。緩衝部材２０は、当該踏板１における角部を構成するように配される本体部２２から踏板厚さ方向他方側（下方側）に一連状に延出し、踏板本体１０の前端面１３を全体に亘って覆うように配される覆片部２４を有した軟質樹脂部２１を備えている。また、緩衝部材２０は、凹所１４の踏板奥行方向一方側（前方側）に向く側面部１６と本体部２２の踏板奥行方向他方側（後方側）との間に位置するようにかつ本体部２２に固定的に設けられ軟質樹脂部２１よりも硬質の硬質樹脂部（側片部）２６を備えている。また、踏板１は、硬質樹脂部（側片部）２６、本体部２２及び覆片部２４の表面２２ａ，２２ｂ，２４ａ，２６ａを一連状に覆い、かつ踏板本体１０の上面１１を覆うように表面化粧シート３０が貼着された構成とされている。
【００１１】
本実施形態では、凹所１４の側面部１６と本体部２２の後方側との間に位置する硬質樹脂部を構成する側片部２６に、凹所１４の上方側に向く底面部１５と本体部２２との間に位置するように配される底片部２８を設けた構成としている。この底片部２８は、側片部２６の踏板厚さ方向他方側端部（下端部）から前方側に一連状に延出するように設けられている。また、この底片部２８の踏板奥行方向一方側端部（前端部）から下方側に一連状に延出するように、止具２によって踏板本体１０に固定される固定片部２９が設けられている。つまり、本実施形態では、これら側片部２６、底片部２８及び固定片部２９によって、軟質樹脂部２１よりも硬質の硬質樹脂部２５を構成している。また、軟質樹脂部２１の覆片部２４を、固定片部２９の止具止着箇所２９ａを露出可能なように、固定片部２９の踏板奥行方向一方側面（前面）に対して接離可能に固定片部２９の前方側を覆うように配される構成としている。
【００１２】
また、本実施形態では、軟質樹脂部２１よりも後方側において上方側に向けて開口するように取付溝１７を設けた構成とし、この取付溝１７に標示部材３２を取り付けた構成としている。また、本実施形態では、この取付溝としての第１取付溝１７の後方側に間隔を空けて上方側に向けて開口する第２取付溝１９を設けた構成とし、この第２取付溝１９にも標示部材３２を取り付けた構成としている。また、これら標示部材３２，３２を、第１取付溝１７及び第２取付溝１９の開口両縁部の表面化粧シート３０の端部３１，３１を押えるように第１取付溝１７及び第２取付部１９に取り付けた構成としている。
【００１３】
この踏板１は、踏板本体１０の上面１１側が階段の踏面を構成するように、厚さ方向を上下方向に沿わせて階段の段板として配される。また、この踏板１の平面視した形状は、当該踏板１が設けられる階段構造に応じて適宜の形状とされたものとしてもよい。例えば、直階段（ストレート階段）に配される場合には、階段を構成する複数枚の踏板１の全てを階段幅方向に長尺な略矩形平板状としてもよく、また、回り階段に配される場合には、回り部に配される踏板１を平面視して略三角形状等としてもよい。また、この踏板１は、階段幅方向両側端部が側桁等に固定されて配設されるものとしてもよい。また、この踏板１は、蹴込板のないいわゆるオープン階段（ストリップ階段）として施工されるものでもよく、前端部に段鼻部を形成するように前端部の下方側に蹴込板が接合されるものでもよい。この場合は、踏板１の前端部の下面側に蹴込板の上端部を受け入れる凹溝等を設けた構成としてもよい。
【００１４】
また、この踏板１の階段幅方向に沿う寸法は、上記のような種々の階段構造や設置される箇所の階段幅寸法に応じて適宜、設定されたものとしてもよい。この踏板１の階段幅方向に沿う寸法を、設置された状態における階段幅寸法（内法寸法）が６００ｍｍ以上となるような寸法としてもよく、好ましくは、上記階段幅寸法（内法寸法）が７５０ｍｍ以上となるような寸法としてもよい。また、この踏板１の奥行寸法は、設置される箇所や階段昇降時の歩行安定性等の観点から適宜、設定されたものとしてもよい。この踏板１の奥行寸法を、例えば、１５０ｍｍ以上としてもよく、好ましくは、２１０ｍｍ以上としてもよい。また、踏板１の厚さ寸法は、踏板１の支持構造等に応じて、また、踏板１の強度上の観点等から適宜、設定されたものとしてもよい。この踏板１の厚さ寸法を、２０ｍｍ以上としてもよく、好ましくは、３５ｍｍ以上としてもよい。
【００１５】
踏板本体１０は、略平板状とされている。また、この踏板本体１０の階段幅方向に沿う方向に見た形状は、全体に亘って略一様な形状とされている。また、この踏板本体１０を平面視した形状は、上述のように当該踏板１が配される階段構造等に応じて、平面視して階段幅方向に沿う方向に長尺な略矩形状や、略正方形状、略台形状、略三角形状、略菱形状、略扇形状等、種々の形状としてもよい。
この踏板本体１０の上面１１と厚さ方向他方面としての下面１２とは、略平行状とされ、踏板本体１０の前端面１３は、これら上面１１及び下面１２に対して略直交状とされている。図例では、下面１２と前端面１３との角部に、Ｒ面取り形状の面取部を設けた例を示している。
【００１６】
凹所１４は、図１及び図２に示すように、踏板本体１０の上面１１と前端面１３との角部を切り欠くように、かつ階段幅方向に沿う方向の全体に亘って設けられている。この凹所１４は、上方側に向く底面部１５と前方側に向く側面部１６とによって区画されている。これら底面部１５と側面部１６とは、互いに略直交するように形成されており、底面部１５は、踏板本体１０の上面１１と略平行状とされ、側面部１６は、踏板本体１０の前端面１３と略平行状とされている。また、図例では、底面部１５を、後方側部位が前方側部位よりも上方側に位置するように段上がり状の段差形状とした例を示している。
また、本実施形態では、踏板本体１０の前端部に、硬質樹脂部２５の固定片部２９を受け入れる前端受入凹所１８を凹所１４に連なるように設けた構成としている。
この前端受入凹所１８は、図２（ａ）に示すように、凹所１４の底面部１５の前端側部位に連なるように設けられ、上方側及び前方側に向けて開口するように切欠状に設けられている。この前端受入凹所１８は、凹所１４の底面部１５と略平行状の底面部１８ａと凹所１４の側面部１６と略平行状の側面部１８ｂとによって区画され、階段幅方向に沿う方向の全体に亘って設けられている。
【００１７】
また、本実施形態では、凹所１４の側面部１６に、後記する緩衝部材２０の止具止着片部２７の先端部を受け入れる側面受入凹所１６ａを設けた構成としている。この側面受入凹所１６ａは、前方側に向けて開口するように、かつ踏板本体１０の階段幅方向に沿う方向に延びるように全体に亘って切欠状に設けられている。図例では、側面受入凹所１６ａを、側面部１６の下端部位において開口するように設けた例を示している。また、側面受入凹所１６ａを、階段幅方向に沿う方向に見て略矩形状の略矩形溝状とした例を示している。また、側面受入凹所１６ａの溝幅方向一方側となる上方側に向く溝内側面を、底面部１５の後方側部位に一連状に設けた例を示している。また、この側面受入凹所１６ａの溝幅方向他方側となる下方側に向く内側面と側面部１６との角部に、Ｃ面取り形状の面取部を設けた例を示している。
【００１８】
第１取付溝１７及び第２取付溝１９は、階段幅方向に沿う方向に延びるように全体に亘って設けられている。また、第１取付溝１７は、凹所１４の側面部１６と緩衝部材２０の側片部２６との隙間によって構成され、凹所１４の側面部１６と緩衝部材２０の側片部２６との間に上方側に向けて開口するように設けられている。つまり、凹所１４の側面部１６が第１取付溝１７の溝幅方向一方側の溝内側面を構成し、硬質樹脂部２５が第１取付溝１７の溝幅方向他方側の溝内側面を構成する。また、後記する緩衝部材２０の止具止着片部２７が第１取付溝１７の溝底を構成する。また、図２（ａ）に示すように、第１取付溝１７の開口両縁部のうち後方側縁部を構成する、踏板本体１０の上面１１と側面部１６との角部に、後記する標示部材３２の頭部の鍔状部３３を受け入れる凹状段部１１ａを設けた構成としている。この凹状段部１１ａは、第１取付溝１７の溝幅方向中心側及び上方側に向けて開口するように、かつ踏板本体１０の階段幅方向に沿う方向に延びるように全体に亘って切欠状に設けられている。図例では、この凹状段部１１ａを、上方側に向く底面と、上面１１から底面に向かうに従い下るように傾斜する傾斜側面と、によって区画した例を示している。
【００１９】
第２取付溝１９は、第１取付溝１７に平行状となるように設けられている。この第２取付溝１９の開口両縁部のそれぞれには、上記同様の凹状段部１１ａ，１１ａが設けられている。これら取付溝１７，１９の踏板厚さ方向に沿う溝深さ寸法や踏板奥行方向に沿う溝幅寸法は、後記する標示部材３２，３２の係合突起３４，３４の嵌め入れが可能なように適宜の寸法とされている。
なお、踏板本体１０は、木質系材料や、合成樹脂系材料、金属系材料等から形成されたものでもよい。木質系材料としては、例えば、合板やＬＶＬ（単板積層材）等の木質積層板や、パーティクルボード等の木質ボード、インシュレーションボードやＭＤＦ（中密度繊維板）、ハードボード等の木質繊維板等が挙げられる。また、木質系材料としては、木粉や合成樹脂系材料、無機フィラー、相溶化剤、着色剤などを所定の含有割合で含有させた木粉・プラスチック複合材（ＷＰＣ）でもよい。また、踏板本体１０を、これら種々の材料からなる板材を積層した複層構造とされたものとしてもよく、例えば、合板等の基材の表裏両面側に、ＭＤＦ等を積層した構造とされたものとしてもよい。また、上記した側面受入凹所１６ａ等を含む凹所１４や、前端受入凹所１８、第２取付溝１９は、成形時に形成されたものでもよく、切削加工等によって形成されたものでもよい。
【００２０】
緩衝部材２０は、図１及び図２に示すように、踏板本体１０の凹所１４を塞ぐように踏板本体１０に取り付けられている。この緩衝部材２０は、踏板本体１０の階段幅方向に沿う方向の全体に亘って設けられており、階段幅方向に沿う方向に長尺状とされている。また、この緩衝部材２０の長手方向に見た形状は、全長に亘って略一様な形状とされている。
また、本実施形態では、この緩衝部材２０を、軟質樹脂部２１と硬質樹脂部２５とが一体成形された構成としている。
この緩衝部材２０は、合成樹脂系材料から形成されており、軟質樹脂部２１と硬質樹脂部２５とが異材質成形（異材質同時複合成形）等によって一体的に形成された押出成形品や射出成形品等の樹脂成形品としてもよい。また、これら、軟質樹脂部２１と硬質樹脂部２５とを、同一材料（同一樹脂組成物）から形成されたものとしてもよい。
【００２１】
これら軟質樹脂部２１及び硬質樹脂部２５の硬度は、緩衝機能を確保する観点や、軟質樹脂部２１と硬質樹脂部２５との境界部や硬質樹脂部２５と踏板本体１０との境界部において荷重が掛けられた際に生じる段差を小さくする観点等から適宜、設定されたものでもよい。例えば、軟質樹脂部２１を、ショアＡ硬度が４０〜８０程度の軟質樹脂組成物から形成されたものとし、硬質樹脂部２５を、ショアＡ硬度が６０〜１００程度の硬質樹脂組成物から形成されたものとしてもよい。好ましくは、軟質樹脂部２１を、ショアＡ硬度が５０以上、７０未満の軟質樹脂組成物から形成されたものとし、硬質樹脂部２５を、ショアＡ硬度が７０以上、９０未満の硬質樹脂組成物から形成されたものとしてもよい。また、軟質樹脂組成物と硬質樹脂組成物とのショアＡ硬度の差を１０以上としてもよい。
【００２２】
軟質樹脂部２１を構成する軟質樹脂組成物のショアＡ硬度を低くし過ぎれば、変形し易くなることから底突き状となり、衝撃の緩和がなされ難くなる傾向がある一方、高くし過ぎれば、変形し難くなる傾向がある。また、硬質樹脂部２５を構成する硬質樹脂組成物のショアＡ硬度を低くし過ぎれば、踏板本体１０との硬度差が大きくなる傾向がある一方、高くし過ぎれば、軟質樹脂部２１との硬度差が大きくなる傾向があり、硬質樹脂部２５（側片部２６）とこれに隣接する部位との境界部に形成される段差が大きくなる傾向がある。また、軟質樹脂部２１を構成する軟質樹脂組成物と硬質樹脂部２５を構成する硬質樹脂組成物とのショアＡ硬度の差が小さ過ぎれば、軟質樹脂部２１における緩衝機能が小さくなる傾向がある。上記のような構成とすれば、軟質樹脂部２１によって適度な緩衝機能を確保しながらも、隣接する部位同士の硬度差が大きくなり過ぎるようなことがなく、踏んだ際における違和感をより生じ難くすることができる。また、表面化粧シート３０の破損をより効果的に抑制することができる。
【００２３】
上記した軟質樹脂部２１を構成する軟質樹脂組成物及び硬質樹脂部２５を構成する硬質樹脂組成物のショアＡ硬度は、ＪＩＳ  Ｋ７２１５に準拠し、タイプＡデュロメータを用いて測定された硬度である。また、ショアＡ硬度は、軟質樹脂部２１及び硬質樹脂部２５をそれぞれに構成する樹脂組成物からなる試験片を作製し、各試験片に対して測定されたものでもよい。また、硬化後に上記のようなショアＡ硬度となる軟質樹脂組成物及び硬質樹脂組成物を用いて軟質樹脂部２１と硬質樹脂部２５とが一体成形されたものでもよい。
【００２４】
また、軟質樹脂部２１と硬質樹脂部２５とを、樹脂主成分が同一とされ、かつ軟質樹脂部２１の樹脂主成分に対する可塑剤の含有率を硬質樹脂部２５よりも大とした構成としてもよい。これら軟質樹脂部２１及び硬質樹脂部２５をそれぞれに構成する樹脂組成物の樹脂主成分としては、可塑剤の含有率を異ならせることで、硬度を異ならせることが可能なものであればよいが、例えば、ポリ塩化ビニル樹脂が挙げられる。また、ポリ塩化ビニル樹脂としては、重合度が１０００〜３０００程度とされたものとしてもよい。また、上記樹脂主成分に添加される可塑剤としては、フタル酸エステル系やポリエステル系、その他、種々の可塑剤を採用するようにしてもよい。フタル酸エステル系としては、ＤＩＤＰ（フタル酸ジイソデシル）や、ＤＩＮＰ（フタル酸ジイソノニル）、ＤＯＰ（フタル酸ジオクチル）、ＤＢＰ（フタル酸ジブチル）等が挙げられる。このような可塑剤としては、低移行性の観点等から、好ましくは、ＤＩＤＰまたはポリエステル系の可塑剤を採用するようにしてもよい。
また、軟質樹脂部２１及び硬質樹脂部２５をそれぞれに構成する樹脂組成物の樹脂主成分に対する可塑剤の含有率は、緩衝機能を確保する観点や、上記のように隣接する部位同士の硬度差を小さくする観点等から適宜、設定するようにしてもよい。例えば、軟質樹脂部２１を構成する軟質樹脂組成物を、樹脂主成分１００部（質量部）に対して、８０〜１４０部（質量部）の可塑剤が添加されたものとしてもよい。また、硬質樹脂部２５を構成する硬質樹脂組成物を、樹脂主成分１００部（質量部）に対して、６０〜１００部（質量部）の可塑剤が添加されたものとしてもよい。
【００２５】
硬質樹脂部２５の側片部２６は、軟質樹脂部２１の本体部２２の後方側と踏板本体１０の凹所１４の側面部１６との間に位置するように設けられている。
この側片部２６は、上方側に向く表面を構成する上面２６ａが踏板本体１０の上面１１と略同一平面状となり、かつ軟質樹脂部２１の本体部２２の上方側に向く表面を構成する上面２２ａに連なるように面一状に設けられている。
本実施形態では、この側片部２６の踏板厚さ方向一方側端部となる上端部の前方側角部に、前方側に向かうに従い下るように傾斜する傾斜面部２６ｃを設けた構成としている。また、第１取付溝１７の開口両縁部のうちの前方側縁部を構成する、側片部２６の上端部の後方側角部に、標示部材３２の頭部の鍔状部３３を受け入れる凹状段部２６ｂを設けた構成としている。この凹状段部２６ｂは、上記した踏板本体１０の凹状段部１１ａと概ね同様、第１取付溝１７の溝幅方向中心側及び上方側に向けて開口するように、かつ側片部２６の階段幅方向に沿う方向（長手方向）に延びるように全長に亘って設けられている。
【００２６】
また、本実施形態では、側片部２６に、第１取付溝１７の溝底を構成するように配され、釘やステイプル、ねじ等の止具が止着される止具止着片部２７を設けた構成としている。この止具止着片部２７は、側片部２６の下端側部位から後方側に向けて突出するように、かつ側片部２６の全長に亘って設けられている。また、この止具止着片部２７は、突出方向先端部となる後端部が上記した踏板本体１０の側面部１６に設けられた側面受入凹所１６ａに差し入れられる構成とされている。
また、本実施形態では、緩衝部材２０（底片部２８）の下面を凹所１４の底面部１５に当接させ、止具止着片部２７に止具を止着していない状態で、止具止着片部２７の下面とこの下面が当接される底面部１５との間に隙間が形成される構成とされている。つまり、止具止着片部２７は、変形（弾性変形）を伴い、止具によって押え付けられるように底面部１５に当接されて止着される構成とされている。
【００２７】
この止具止着片部２７の突出寸法となる前後方向に沿う寸法や上下方向に沿う寸法は、止具の止着性やコンパクト化を図る観点等から適宜、設定されたものとしてもよい。
また、図例では、止具止着片部２７の突出方向先端部の下面側角部に、Ｒ面取り形状の面取部を設けた構成としている。また、図例では、止具止着片部２７の突出方向基端部を薄くして変形を容易とすべく、止具止着片部２７の突出方向基端部の下面側入隅部に長手方向に延びるように凹部を全長に亘って設けた例を示している。
また、側片部２６の前後方向に沿う寸法（第１取付溝１７の溝幅方向他方側の溝内側面を構成する後方側に向く面から前方側に向く面までの前後方向に沿う寸法）は、荷重が掛けられた際に生じる境界部における段差を小さくする観点やコンパクト化を図る観点等から適宜、設定されたものとしてもよい。この側片部２６の前後方向に沿う寸法を、１ｍｍ〜１０ｍｍ程度としてもよく、好ましくは、２ｍｍ〜５ｍｍ程度としてもよい。
【００２８】
底片部２８は、軟質樹脂部２１の本体部２２の下方側と踏板本体１０の凹所１４の底面部１５との間に位置するように設けられている。この底片部２８の下面は、平坦面とされ、凹所１４の底面部１５に当接される。この底片部２８の上下方向に沿う寸法は、強度上の観点やコンパクト化を図る観点等から適宜、設定されたものとしてもよい。本実施形態では、この底片部２８の上下方向に沿う寸法を、上記した側片部２６の前後方向に沿う寸法よりも小としている。この底片部２８の上下方向に沿う寸法を、例えば、０．５ｍｍ〜１０ｍｍ程度としてもよく、好ましくは、１ｍｍ〜３ｍｍ程度としてもよい。
【００２９】
固定片部２９は、底片部２８の前端部から下方側に向けて延出するように設けられている。この固定片部２９は、前方側に向く表面を構成する前面が踏板本体１０の前端面１３と略同一平面状となるように設けられている。つまり、この固定片部２９は、前後方向に沿う寸法が踏板本体１０の前端受入凹所１８の前後方向に沿う寸法と略同寸法とされている。また、この固定片部２９の前後方向に沿う寸法は、強度上の観点等から適宜の寸法としてもよく、図例では、側片部２６の前後方向に沿う寸法よりも僅かに大とした例を示している。
また、固定片部２９は、平坦面状とされた後面が前端受入凹所１８の側面部１８ｂに当接される。図例では、緩衝部材２０を踏板本体１０に固定した状態で、固定片部２９の下面と前端受入凹所１８の底面部１８ａとの間に隙間が形成される構成とした例を示しているが、固定片部２９の下面が前端受入凹所１８の底面部１８ａに当接される構成としてもよい。
【００３０】
また、固定片部２９の前面側には、当該固定片部２９を踏板本体１０に固定する釘やねじ等の止具２が止着される止具止着箇所を構成する頭部収容凹部２９ａが設けられている。
この頭部収容凹部２９ａは、止具２の頭部の収容が可能なように、前方側に向けて開口するように設けられている。また、この頭部収容凹部２９ａは、階段幅方向に沿う方向に間隔を空けて複数箇所に設けられたものでもよく、階段幅方向に沿う方向に延びるように凹溝状に設けられたものでもよい。
【００３１】
軟質樹脂部２１は、当該踏板１の上面側の前端角部を構成するように配され、かつ踏板本体１０の前端面１３の略全体を覆う構成とされている。
この軟質樹脂部２１の本体部２２は、上方側に向く表面を構成する上面２２ａが踏板本体１０の上面１１と略同一平面状となり、かつ前方側に向く表面を構成する前面２２ｂが覆片部２４の前面２４ａに一連状（面一状）に設けられている。また、本実施形態では、この本体部２２の上面２２ａ側の後端角部に、硬質樹脂部２５の側片部２６の傾斜面部２６ｃを覆うように後方側に向けて突出する突片部２３を設けた構成としている。また、この本体部２２の上面２２ａと前面２２ｂとの角部に、踏板本体１０の下面１２側の前端角部と同様のＲ面取り形状の面取部を設けた構成としている。
また、この本体部２２を、階段幅方向に沿う方向に見て略方形状としている。図例では、本体部２２の後方側に向く面と側片部２６の前方側に向く面とを平面状に示し、本体部２２の下方側に向く面と底片部２８の上方側に向く面とを平面状に示しているが、これらの境界部では、混和したような状態となる場合もある。
【００３２】
また、本実施形態では、この本体部２２を、階段幅方向に沿う方向に見て、前後方向に沿う寸法よりも上下方向に沿う寸法が大とされた略矩形状としている。この本体部２２の前後方向に沿う寸法及び上下方向に沿う寸法は、緩衝機能を確保する観点や踏んだ際における歩行安定性の観点、踏板本体１０の強度上の観点から、また、踏板本体１０の厚さに応じて、適宜、設定されたものとしてもよい。この本体部２２の前後方向に沿う寸法及び上下方向に沿う寸法を、例えば、４ｍｍ〜２０ｍｍ程度としてもく、好ましくは、７ｍｍ〜１５ｍｍ程度としてもよい。また、この本体部２２の前後方向に沿う寸法及び上下方向に沿う寸法を、踏板本体１０の厚さ寸法の１／２以下としてもよく、好ましくは、踏板本体１０の厚さ寸法の１／３以下としてもよい。図例では、この本体部２２の前後方向に沿う寸法及び上下方向に沿う寸法を、踏板本体１０の厚さ寸法の２／７程度の寸法とした例を示している。
【００３３】
また、本実施形態では、この本体部２２に、中空部２２ｃを設けた構成としている。この中空部２２ｃは、本体部２２の全長に亘って貫通するように設けられたものとしてもよい。この中空部２２ｃを設ける個数や位置、中空部２２ｃの長手方向に見た状態における形状や面積は、緩衝機能を確保する観点や踏んだ際における歩行安定性の観点等から適宜、設定されたものとしてもよい。図例では、単一の中空部２２ｃを、本体部２２の上下方向で下方側部位に位置するように設けた例を示している。また、図例では、長手方向に見て円形状とされた単一の中空部２２ｃを、側片部２６及び底片部２８のそれぞれから概ね等間隔を空けた位置となるように設けた例を示している。また、この中空部２２ｃを、長手方向に見て、直径が本体部２２の前後方向に沿う寸法の１／３程度とされた円形状とした例を示している。なお、本体部２２に設けられる中空部２２ｃとしては、このような態様に限られず、その他、種々の変形が可能である。
【００３４】
覆片部２４は、本体部２２の前端側部位の下端から下方側に向けて延出するように設けられている。この覆片部２４は、前方側に向く表面を構成する前面２４ａ及び後方側に向く後面が略平坦面状とされ、厚さ方向を前後方向に沿わせた略平板状とされている。また、この覆片部２４は、図１に示すように、後面が固定片部２９の前面及び踏板本体１０の前端面１３に当接される構成とされている。この覆片部２４の厚さ寸法は、緩衝性や強度上の観点等から適宜の厚さ寸法としてもよく、例えば、０．５ｍｍ〜１０ｍｍ程度としてもよく、１ｍｍ〜３ｍｍ程度としてもよい。図例では、この覆片部２４の厚さ寸法を、本体部２２の前後方向に沿う寸法の略１／５程度とした例を示している。
【００３５】
また、本実施形態では、覆片部２４を、踏板本体１０の下面１２と前端面１３との角部を覆う構成としている。つまり、覆片部２４を、延出方向先端部（下端部）が踏板本体１０の下面１２と前端面１３との角部の面取部に至るように設けた構成としている。この覆片部２４の先端部は、図１に示すように、化粧シート３０が覆片部２４の前面２４ａから踏板本体１０の下面１２に至るように貼着された状態で、踏板本体１０の下面側の角部の面取部に沿うように湾曲状とされる。また、この覆片部２４の先端部は、延出方向先側に向かうに従い先細状とされている。なお、この覆片部２４の先端部は、踏板本体１０の下面側の角部の面取部に応じた形状に成形されたものでもよく、化粧シート３０の貼着による変形によって湾曲状とされたものでもよい。また、図例では、化粧シート３０に被覆された状態で、覆片部２４の延出方向先端部と踏板本体１０の下面１２との境界部に段差が形成されたような例を示しているが、連なるような面取形状となるように適宜、変形するようにしてもよい。また、例えば、踏板本体１０の下面側の角部に切欠状の下面側凹所を設け、この下面側凹所に配置される凸部を覆片部２４の先端部に設けたような態様等としてもよい。
【００３６】
また、この覆片部２４は、硬質樹脂部２５の固定片部２９の頭部収容凹部２９ａに少なくとも止具２の止着が可能なように、固定片部２９の前面に対して離間可能とされ、先端側部位を斜め手前側に捲り上げるように変形可能とされている。この覆片部２４は、固定片部２９に対して全面に亘って離間可能とされたものでもよく、上端側部位の一部が固定片部２９に対して固定的（一体的）に設けられたものでもよい。また、この覆片部２４は、固定片部２９の前面に適宜の止具や接着剤等によって固定されるものでもよく、または、化粧シート３０の貼着によって固定片部２９の前面側に固定されるものでもよい。
上記構成とされた緩衝部材２０は、図２（ａ）、（ｂ）に示すように、止具止着片部２７に止着した止具及び固定片部２９に止着した止具２によって踏板本体１０に取り付けられたものでもよい。また、緩衝部材２０は、接着剤を併用して踏板本体１０に取り付けられたものでもよい。
【００３７】
表面化粧シート３０は、薄シート状（フィルム状）とされており、例えば、合成樹脂製シートや天然木材（銘木）からなる突板等としてもよい。この表面化粧シート３０は、図１に示すように、側片部２６の上面２６ａ、本体部２２の上面２２ａ及び前面２２ｂ並びに覆片部２４の前面２４ａに一連状に貼着されている。また、踏板本体１０の上面１１を覆うように表面化粧シート３０を貼着した構成としている。
踏板本体１０の上面１１側の表面化粧シート３０は、上記した各取付溝１７，１９が設けられた部位を除くように貼着されたものでもよい。または、踏板本体１０の上面１１及び緩衝部材２０の上面２６ａ，２２ａに一連状に表面化粧シート３０を貼着した後に、各取付溝１７，１９を覆うように配された部位を切除等して踏板本体１０の上面１１側に貼着されたものとしてもよい。このように踏板本体１０の上面１１側に貼着された表面化粧シート３０は、各取付溝１７，１９の開口両縁部の凹状段部２６ｂ，１１ａ，１１ａ，１１ａに貼着された部位が各取付溝１７，１９の開口両縁部側の端部３１，３１，３１，３１となる。また、緩衝部材２０の覆片部２４の前面２４ａから踏板本体１０の下面１２にも一連状に表面化粧シート３０を貼着した構成としている。なお、踏板本体１０の奥行方向他端面としての後端面にも表面化粧シート３０を貼着した構成としてもよい。また、踏板本体１０の階段幅方向両端面の両方または一方にも表面化粧シート３０や適宜のエッジシート等を貼着した構成としてもよい。
【００３８】
標示部材３２，３２は、図１に示すように、上記のように貼着された表面化粧シート３０の端部３１，３１，３１，３１を押えるように各取付溝１７，１９に取り付けられた構成とされている。これら標示部材３２，３２は、同寸同形状、つまり、同一部品とされている。また、これら標示部材３２，３２は、当該踏板１の階段幅方向の全体に亘って設けられている。
これら標示部材３２，３２は、踏板１の上面側において露出する頭部と、各取付溝１７，１９に嵌め入れられる係合突起３４，３４と、を備えた構成とされている。この頭部の前後方向両端部に設けられた鍔状部３３，３３，３３，３３によって表面化粧シート３０の端部３１，３１，３１，３１が押えられる。また、係合突起３４，３４の前後方向両側に、各取付溝１７，１９の両溝内側面に変形を伴って当接される抜止片部３４ａ，３４ａを設けた例を示している。なお、各標示部材３２，３２は、硬質の合成樹脂系材料から形成されたものでもよく、また、例えば、各標示部材３２，３２の少なくとも頭部３３，３３の上面側部位を、蓄光性を有したものとしてもよい。
【００３９】
本実施形態に係る踏板１は、上述のような構成としたことで、踏面となる厚さ方向一方面側の角部に緩衝部材２０を設けた構成としながらも、緩衝部材２０を目立ち難くすることができ、また、表面化粧シート３０の破損を抑制することができる。
つまり、踏板本体１０の厚さ方向一方面（上面）１１と奥行方向一端面（前端面）１３との角部に厚さ方向一方側（上方側）及び奥行方向一方側（前方側）に向けて開口するように設けられた凹所１４に緩衝部材２０を設けた構成としている。従って、踏板１の踏面となる上面の前方側の角部に緩衝性を付与することができ、この角部に接触した際における衝撃を緩和することができる。また、緩衝部材２０に、踏板１における角部を構成するように配される本体部２２から踏板厚さ方向他方側（下方側）に一連状に延出し、踏板本体１０の前端面１３を全体に亘って覆うように配される覆片部２４を有した軟質樹脂部２１を設けた構成としている。従って、踏板１の前端面側に全体に亘って緩衝性を付与することができる。
【００４０】
また、この軟質樹脂部２１よりも硬質の硬質樹脂部２５（側片部２６）を、凹所１４の踏板奥行方向一方側（前方側）に向く側面部１６と本体部２２の踏板奥行方向他方側（後方側）との間に位置するようにかつ本体部２２に固定的に設けた構成としている。従って、当該踏板１の上面の前方側の角部に荷重が掛けられた際における踏板本体１０に対する側片部２６の変形量を小さくすることができ、上方側において形成される踏板本体１０と緩衝部材２０との境界部の段差を小さくすることができる。
また、側片部２６、本体部２２及び覆片部２４の表面２６ａ，２２ａ，２２ｂ，２４ａを一連状に覆い、かつ踏板本体１０の上面１１を覆うように表面化粧シート３０を貼着した構成としている。従って、緩衝部材２０を目立ち難くすることができ、見栄えを向上させることができる。また、当該踏板１の上面の前方側の角部に荷重が掛けられた際にも、上方側において形成される踏板本体１０と緩衝部材２０との境界部の段差を小さくすることができるので、荷重が掛けられた際における表面化粧シート３０の破損を抑制することができる。また、踏板本体１０の前端面１３を全体に亘って覆う覆片部２４によって当該踏板１の前端面側に踏板本体１０と緩衝部材２０との境界部が形成されないので、前端面側を表面化粧シート３０によって見栄え良く覆うことができる。また、これにより、当該踏板１の前端面側における表面化粧シート３０の破損を抑制することができる。
【００４１】
また、本実施形態では、側片部２６を有した硬質樹脂部２５に、凹所１４の底面部１５と本体部２２との間に位置するように配される底片部２８を設けた構成としている。また、硬質樹脂部２５に、底片部２８の踏板奥行方向一方側端部（前端部）から踏板厚さ方向他方側（下方側）に一連状に延出し、止具２によって踏板本体１０に固定される固定片部２９を設けた構成としている。従って、固定片部２９に止着した止具２によって緩衝部材２０を踏板本体１０に対して比較的に強固に固定することができる。
また、覆片部２４を、固定片部２９の止具止着箇所（頭部収容凹部）２９ａを露出可能なように、固定片部２９の踏板奥行方向一方側面（前面）に対して接離可能に固定片部２９の踏板奥行方向一方側（前方側）を覆うように配される構成としている。従って、覆片部２４を捲るように固定片部２９の前面から離間させれば、止具２を止着することができる。また、覆片部２４によって固定片部２９を覆うことができるので、止具２や固定片部２９が踏板１の前端面側において目立つようなことを抑制することができる。
【００４２】
また、本実施形態では、踏板本体１０の前端部に、固定片部２９を受け入れる前端受入凹所１８を凹所１４に連なるように設けた構成としている。従って、例えば、固定片部２９を踏板厚さ方向他方面側（下面側）まで設けたものと比べて、固定片部２９の踏板厚さ方向に沿う寸法を小さくすることができる。また、覆片部２４に固定片部２９を受け入れる受入凹所を設けたものと比べて、覆片部２４を概ね均等な厚さにすることができる。
【００４３】
次に、本発明の他の実施形態に係る踏板の一例について、図面を参照しながら説明する。
図３は、第２実施形態に係る踏板の一例を模式的に示す図である。
なお、上記第１実施形態との相違点について主に説明し、同様の構成については、同一の符号を付し、その説明を省略または簡略に説明する。
【００４４】
本実施形態に係る踏板１Ａは、図３に示すように、緩衝部材２０Ａの軟質樹脂部２１Ａに設けられた覆片部２４Ａ及び踏板本体１０Ａの前端面１３Ａの構成が上記第１実施形態とは主に異なる。
本実施形態では、覆片部２４Ａの後面側に、後方側に向けて突出する係合突起２４ｂを設けた構成とし、踏板本体１０Ａの前端面１３Ａに、この係合突起２４ｂが嵌め入れられる係合凹部１３ａを設けた構成としている。
【００４５】
踏板本体１０Ａの係合凹部１３ａは、踏板本体１０Ａの前端面１３Ａにおいて前方側に向けて開口するように設けられている。この係合凹部１３ａは、階段幅方向に沿う方向に間隔を空けて複数箇所に設けられたものでもよいが、図例では、階段幅方向に沿う方向に延びるように全体に亘って設けられた凹溝状とされている。また、この係合凹部１３ａは、踏板本体１０Ａの前端面１３Ａの前端受入凹所１８よりも下方側において開口するように設けられている。また、図例では、係合凹部１３ａを、階段幅方向に沿う方向（溝長手方向）に見て略矩形溝状とした例を示している。
この係合凹部１３ａの踏板厚さ方向に沿う溝幅寸法や踏板奥行方向に沿う溝深さ寸法は、後記する係合突起２４ｂの嵌め入れが可能なように適宜の寸法とされている。
【００４６】
覆片部２４Ａの係合突起２４ｂは、覆片部２４Ａの厚さ方向に沿う方向に突出するように設けられている。この係合突起２４ｂは、階段幅方向に沿う方向に間隔を空けて複数箇所に設けられたものでもよいが、係合凹部１３ａに対応させて階段幅方向に沿う方向に延びるように全体に亘って設けられている。また、この係合突起２４ｂには、係合凹部１３ａの内面（両溝内側面）に変形を伴って当接される抜止片部２４ｃ，２４ｃが設けられている。図例では、抜止片部２４ｃ，２４ｃを、上下両側に突出させたような例を示している。また、係合突起２４ｂの上下両側のそれぞれに、前後方向に間隔を空けて複数（図例では、３つ）の抜止片部２４ｃ，２４ｃを設けた構成としている。これら抜止片部２４ｃ，２４ｃは、係合凹部１３ａに嵌め入れられた係合突起２４ｂが抜け難くなるように適宜の構成とされている。
【００４７】
本実施形態に係る踏板１Ａによっても、上記第１実施形態と概ね同様の効果を奏する。
また、本実施形態では、覆片部２４Ａに係合突起２４ｂを設け、踏板本体１０Ａの前端面１３Ａに、この係合突起２４ｂが嵌め入れられる係合凹部１３ａを設けた構成としている。従って、踏板本体１０Ａの前端面１３Ａに対して覆片部２４Ａを安定的に固定することができる。また、例えば、覆片部２４Ａを、接着剤を介して踏板本体１０Ａの前端面１３Ａ及び固定片部２９の前面の両方または一方に固定する態様とした場合には、係合突起２４ｂ及び係合凹部１３ａを、接着剤が硬化するまでの仮止めとして機能させることができる。
【００４８】
なお、上記各実施形態では、固定片部２９に、止具止着箇所として頭部収容凹部２９ａを設けた例を示しているが、このような頭部収容凹部２９ａを設けずに、目印溝を設けたり、平坦面としたりしてもよい。
また、上記各実施形態では、固定片部２９を受け入れる前端受入凹所１８を踏板本体１０，１０Ａに設けた例を示しているが、このような態様に代えて、覆片部２４，２４Ａに固定片部２９を受け入れる受入凹所を設けた構成としてもよい。つまり、覆片部２４，２４Ａを、上端側部位に後方側に向けて開口する受入凹所が形成されるように下端側部位の厚さ寸法が上端側部位よりも大とされたものとしてもよい。または、固定片部２９を踏板厚さ方向他方面側まで設けた構成としてもよい。また、このような固定片部２９や固定片部２９に加えて底片部２８を緩衝部材２０，２０Ａに設けていない構成としてもよい。
また、上記各実施形態では、第１取付溝１７及び標示部材３２と、第２取付溝１９及び標示部材３２と、を設けた例を示しているが、これらのうちの一方または両方を設けていない構成としてもよい。
【符号の説明】
【００４９】
１，１Ａ      踏板
１０，１０Ａ  踏板本体
１１          上面（厚さ方向一方面）
１３，１３Ａ  前端面（奥行方向一端面）
１４          凹所
１５          底面部
１６          側面部
２０，２０Ａ  緩衝部材
２１，２１Ａ  軟質樹脂部
２２          本体部
２２ａ        上面（表面）
２２ｂ        前面（表面）
２４，２４Ａ  覆片部
２４ａ        前面（表面）
２５          硬質樹脂部
２６          側片部（硬質樹脂部）
２６ａ        上面（表面）
２８          底片部
２９          固定片部
２９ａ        頭部収容凹部（止具止着箇所）
３０          表面化粧シート
２            止具
【図１】
2018016938.tif 000003
【図２】
2018016938.tif 000004
【図３】
2018016938.tif 000005